(57)【要約】【課題】堅牢性と軽量化とを両立し得る情報処理装置を提供すること。【解決手段】情報処理装置のトップケース１００は、パームレスト部材２ｂを設置するパームレスト設置部１０１とを有する。パームレスト設置部１０１は、複数の開口部１３０と、複数の開口部１３０を少なくともＸ軸方向にそれぞれ区分するように設けられた複数の補強部１２６とを有する。複数の補強部１２６におけるＸ軸方向での少なくとも両端の２つの補強部１２６ａのそれぞれの一端がトップケース１００の異なる角部１２５にて支持される。少なくとも両端の２つの補強部１２６ａはＹ軸方向に対して傾斜して設けられる。【選択図】図７
2011141591.tif 000002
【特許請求の範囲】
【請求項１】
複数のキートップを有するキーボード部と、
パームレスト部材と、
前記キーボード部における少なくとも前記キートップを露出するキートップ開口を有し、前記キートップを除く前記キーボード部を覆う第１の面を有するキーボードカバー部と、前記キーボードカバー部に第１の方向に隣接して設けられ、前記パームレスト部材を設置する第２の面を有するパームレスト設置部とを有する矩形の第１の筐体部と、
前記第１の筐体部に対向し、前記第１の筐体部と組み合わされて前記キーボード部を収容する第２の筐体部とを具備し、
前記パームレスト設置部は、複数の開口部と、前記複数の開口部を少なくとも前記第１の方向に直交する第２の方向にそれぞれ区分するように設けられた複数の補強部とを有し、前記複数の補強部における前記第２の方向での少なくとも両端の２つの補強部のそれぞれの一端が第１の筐体部の異なる角部にて支持され、前記少なくとも両端の２つの補強部は前記第１の方向に対して傾斜して設けられる
情報処理装置。
【請求項２】
請求項１に記載の情報処理装置であって、
前記パームレスト設置部に設けられた無線通信用のアンテナ
をさらに具備する情報処理装置。
【請求項３】
請求項２に記載の情報処理装置であって、
前記第１の筐体部は、前記キーボードカバー部の前記第１の面及び前記パームレスト設置部の前記第２の面に表裏対向する第３の面に対して立ち上げて設けられ、前記第２の方向にて対向する一対の側壁部をさらに有し、前記一対の側壁部の厚みは前記キーボードカバー部の厚み及び前記パームレスト設置部の厚みより大きい
情報処理装置。
【請求項４】
請求項３に記載の情報処理装置であって、
前記キーボードカバー部と、前記パームレスト設置部とを連結する折曲構造部
をさらに具備する情報処理装置。
【請求項５】
請求項４に記載の情報処理装置であって、
前記一対の側壁部は、前記第１の筐体部の前記角部において互いに接近する方向にそれぞれ湾曲する
情報処理装置。
【請求項６】
請求項５に記載の情報処理装置であって、
表示部を有する第３の筐体部と、
前記第２の筐体部の前記第１の方向の一方の端部に前記第２の方向にて互いに離間して設けられた一対の第１のヒンジ機構部と、
前記第１の筐体部の、前記第１の方向の一方の端部に前記一対の第１のヒンジ機構部それぞれに対応して互いに離間して設けられた一対のヒンジ開口部と、
前記第３の筐体部に設けられ、前記第１の筐体部の前記一対のヒンジ開口部を通じて前記一対の第１のヒンジ機構部と連結される一対の第２のヒンジ機構部とをさらに具備し、
前記第１の筐体部の前記一対のヒンジ開口部の間の部位が、曲率的な断面形状を有し、前記キーボードカバー部に比較して厚みの小さな収容部と、前記収容部を前記キーボードカバー部に支持させ、前記キーボードカバー部に対して厚みの大きな支持部とを有する
情報処理装置。
【請求項７】
請求項６に記載の情報処理装置であって、
前記第１の筐体部の前記キーボードカバー部の前記第１の面に溶接されたスタッドをさらに具備し、
前記キーボード部は、前記スタッドに対して固定される
情報処理装置。
【発明の詳細な説明】
【技術分野】
【０００１】
本発明は、ノート型パーソナルコンピュータ等の情報処理装置に関する。
【背景技術】
【０００２】
ノート型パーソナルコンピュータ（Personal Computer。以下、単にＰＣと呼ぶ）において、本体部の筐体のトップケース上面には、複数のキートップが連続的に並んだキーボードが設けられる（例えば、特許文献１参照）。筐体の内部には、内部空間をトップケース側とボトムケース側との２つの空間に仕切る仕切り板が設けられる。キーボードは、仕切り板の上面に設置され、トップケースに設けられた１つの開口から一体に露出する。
【０００３】
ところで近年、操作性やデザイン性を向上させるため、筐体のトップケースにキーボードの個々のキートップに対応して複数の開口が設けられ、その開口からキーボードの個々のキートップが露出する、所謂アイソレーションキーボードを採用したＰＣが知られている。
【先行技術文献】
【特許文献】
【０００４】
【特許文献１】特開２００９−１６３２９３号公報（段落［００５０］、図１）
【発明の概要】
【発明が解決しようとする課題】
【０００５】
アイソレーションキーボードを採用したＰＣにおいては、トップケースにキーボードの個々のキートップに対応して複数の開口が設けられる。このため、このようなトップケースは、キーボード全体を露出する１つの大きな開口が設けられたトップケースに比べて、総開口面積が小さく、その結果トップケースが重量化するおそれがある。また、近年、高級感や質感を高めるため、アルミニウム合金等の金属材料からなるトップケースが提案されているが、このような材料によっては、トップケースがさらに重量化したり、コストが上昇したりするおそれがある。
【０００６】
トップケースの重量化を抑えるためには厚みを小さくすることが考えられる。しかしながら、トップケースの厚みを小さくすると、軽量化は実現し得るが、筐体としての堅牢性が低くなるおそれが生じる。
【０００７】
以上のような事情に鑑み、本発明の目的は、堅牢性と軽量化とを両立し得る情報処理装置を提供することにある。
【課題を解決するための手段】
【０００８】
上記目的を達成するため、本発明の一形態に係る情報処理装置は、複数のキートップを有するキーボード部と、パームレスト部材と、矩形の第１の筐体部と、第２の筐体部とを有する。
上記第1の筐体部は、キーボードカバー部と、パームレスト設置部とを有する。
上記キーボードカバー部は、上記キーボード部における少なくとも上記キートップを露出するキートップ開口を有し、上記キートップを除く上記キーボード部を覆う第１の面を有する。上記パームレスト設置部は、上記キーボードカバー部に第１の方向に隣接して設けられ、上記パームレスト部材を設置する第２の面を有する。
上記第２の筐体部は、上記第１の筐体部に対向し、上記第１の筐体部と組み合わされて上記キーボード部を収容する。
上記パームレスト設置部は、複数の開口部と、上記複数の開口部を少なくとも上記第１の方向に直交する第２の方向にそれぞれ区分するように設けられた複数の補強部とを有し、上記複数の補強部における上記第２の方向での少なくとも両端の２つの補強部のそれぞれの一端が第１の筐体部の異なる角部にて支持され、上記少なくとも両端の２つの補強部は上記第１の方向に対して傾斜して設けられる。
【０００９】
パームレスト設置部に複数の開口部を設けることで、第１の筐体部を軽量化することができる。この複数の開口部を少なくとも第２の方向にそれぞれ区分するように複数の補強部を設けることで、開口部を有するパームレスト設置部の強度を高め、第１の筐体部の堅牢性を向上させることができる。また、一端が第１の筐体部の角部にて支持され、第１の方向に対して傾斜して設けられた補強部により、落下時等の角部への衝撃に対する第１の筐体部の堅牢性を向上させることができる。
【００１０】
上記情報処理装置は、上記パームレスト設置部に設けられた無線通信用のアンテナをさらに有してもよい。
【００１１】
複数の開口部を有するパームレスト設置部にアンテナを設けることにより、アンテナが送受信する電波に対する補強部等からの干渉を抑制し、アンテナの感度が低下するのを防止できる。
【００１２】
上記第１の筐体部は、上記キーボードカバー部の上記第１の面及び上記パームレスト設置部の上記第２の面に表裏対向する第３の面に対して立ち上げて設けられ、上記第２の方向にて対向する一対の側壁部をさらに有してもよい。上記一対の側壁部の厚みは上記キーボードカバー部の厚み及び上記パームレスト設置部の厚みより大きくてもよい。
【００１３】
キーボードカバー部及びパームレスト設置部に対して立ち上げて設けられた一対の側壁部により第１の筐体部の堅牢性を向上させることができる。また、キートップを除くキーボード部を覆う形状により強度が得られるキーボードカバー部及び複数の補強部により強度が得られるパームレスト設置部の厚みを一対の側壁部の厚みより小さくすることによる軽量化と、一対の側壁部の強度向上による第１の筐体部の堅牢性のさらなる向上を期待できる。
【００１４】
上記情報処理装置は、上記キーボードカバー部と、上記パームレスト設置部とを連結する折曲構造部をさらに有してもよい。
【００１５】
この折曲構造部により第１の筐体部の堅牢性をさらに向上させることができる。
【００１６】
上記一対の側壁部は、上記第１の筐体部の上記角部において互いに接近する方向にそれぞれ湾曲してもよい。
【００１７】
角部において互いに接近する方向にそれぞれ湾曲する側壁部により、落下時に荷重を面で受けることで、角部の変形を防止することができる。
【００１８】
上記情報処理装置は、表示部を有する第３の筐体部と、一対の第１のヒンジ機構部と、一対のヒンジ開口部と、第２のヒンジ機構部とをさらに有してもよい。
上記一対の第１のヒンジ機構部は、上記第２の筐体部の上記第１の方向の一方の端部に上記第２の方向にて互いに離間して設けられてもよい。
上記一対のヒンジ開口部は、上記第１の筐体部の、上記第１の方向の一方の端部に上記一対の第１のヒンジ機構部それぞれに対応して互いに離間して設けられてもよい。
上記一対の第２のヒンジ機構部は、上記第３の筐体部に設けられ、上記第１の筐体部の上記一対のヒンジ開口部を通じて上記一対の第１のヒンジ機構部と連結されてもよい。
上記第１の筐体部の上記一対のヒンジ開口部の間の部位が、曲率的な断面形状を有し、上記キーボードカバー部に比較して厚みの小さな収容部と、上記収容部を上記キーボードカバー部に支持させ、上記キーボードカバー部に対して厚みの大きな支持部とを有してもよい。
【００１９】
曲率的な断面形状により強度が得られる収容部の厚みを小さくすることによる軽量化と、支持部の強度向上による第１の筐体部の堅牢性の向上を期待できる。
【００２０】
上記第１の筐体部の上記キーボードカバー部の上記第１の面に溶接されたスタッドをさらに有してもよい。
上記キーボード部は、上記スタッドに対して固定されてもよい。
【００２１】
基材にスタッドを溶着し、スタッドが溶着された基材をキーボードカバー部に両面テープ等で接着した場合、両面テープ等が剥離してキーボード部がキーボードカバー部から離脱するおそれがある。しかしながら、スタッドをキーボードカバー部に溶接すれば、キーボード部がキーボードカバー部から離脱するのを防止できる。さらに、スタッドの設置に基材を用いないため、軽量化、部品点数の削減、コスト削減及び作業工程削減を実現可能である。
【発明の効果】
【００２２】
本発明の情報処理装置によれば、堅牢性と軽量化とを両立し得る。
【図面の簡単な説明】
【００２３】
【図１】本発明の一実施形態に係るＰＣ（Personal Computer）の閉じた状態を示す斜視図である。
【図２】図１のＰＣの開いた状態を示す斜視図である。
【図３】マザーボード及び冷却ファンを下面側から示す平面図である。
【図４】マザーボード及び冷却ファンを上面側から示す平面図である。
【図５】トップケースを上面側から示す斜視図である。
【図６】トップケースを下面側から示す斜視図である。
【図７】トップケースを示す６面図である。図７（ａ）は、トップケースの上面図である。図７（ｂ）は、トップケースの下面図である。図７（ｃ）は、トップケースの右側面図である。図７（ｄ）は、トップケースの左側面図である。図７（ｅ）は、トップケースの正面図である。図７（ｆ）は、トップケースの背面図である。
【図８】図６のＡ領域を示す部分拡大図である。
【発明を実施するための形態】
【００２４】
以下、本発明の実施形態を図面に基づき説明する。本実施形態では、情報処理装置としてノート型のパーソナルコンピュータ（Personal Computer。以下、単にＰＣと呼ぶ）を一例に挙げて説明する。
【００２５】
［１．ＰＣの構成］
図１は、本発明の一実施形態に係るＰＣの閉じた状態を示す斜視図である。
ＰＣ１は、本体部２と、表示部３とを有する。
【００２６】
図２は、ＰＣ１の開いた状態を示す斜視図である。
本体部２と表示部３とは、一対のヒンジ部４、４により相対的に回動可能に連結される。表示部３は、表示部３が本体部２に対して閉じたとき本体部２に対面する領域に、表示画面３ａを有する。本体部２は、表示部３が本体部２に対して閉じたとき表示部３に対面する領域に、複数のキートップ３３を有するキーボード部３２と、利用者が入力操作時に手首を置くためのパームレスト部材２ｂと、非接触型ＩＣ（Integrated Circuit）カード用アンテナ２ｃと、スライド式のスイッチ部７（スイッチ装置）とを有する。本体部２は、さらに、本体部２の側面に、電源スイッチ２ｄと、外部ディスプレイ出力端子２ｅと、ＵＳＢ（Universal Serial Bus）コネクタ２ｆと、ディスクドライブ（図示せず）のディスク出入口２ｇと、マイク入力端子２ｈと、ヘッドホン出力端子２ｉとを有する。
【００２７】
本体部２は、トップケース１００とボトムケース３１とが組み合わされてなる筐体３０をさらに有する。トップケース１００には、上記キーボード部３２やパームレスト部材２ｂ等が設けられている。ボトムケース３１は、ＰＣ１を机等に載置する載置面を含む。本体部２は、筐体３０の内部にマザーボード１０及び冷却ファン２０等をさらに備える。
【００２８】
図３は、マザーボード及び冷却ファンを下面側から示す平面図である。図４は、マザーボード及び冷却ファンを上面側から示す平面図である。
マザーボード１０の上面１０ａ及び下面１０ｂには、メインメモリ、ＣＰＵ１２、ＧＰＵ（Graphics Processing Unit）１３、チップセット１８、その他の制御回路などの電子部品が実装されている。
【００２９】
ＣＰＵ１２の上面には受熱板２１が密着した状態で設けられ、ＧＰＵ１３の上面には受熱板２２が密着した状態で設けられている。受熱板２１、２２にはヒートパイプ２３が熱的に接続され、このヒートパイプ２３には冷却ファン２０が熱的に接続される。冷却ファン２０は、マザーボード１０に実装されたＣＰＵ１２及びＧＰＵ１３等の発熱素子を冷却する。
【００３０】
チップセット１８は、ＰＣ１の内部において各デバイスとの間のデータの受け渡しを管理するチップである。チップセット１８は、不揮発性メモリやＥＣ（Embedded Controller）等の各周辺デバイスとの接続インターフェースを有する。ＧＰＵ１３は、ＣＰＵ１２が出力したデータを基に描画処理を行い、生成した映像信号を表示部３の表示画面３ａへ表示させるために出力する。
【００３１】
なお、ＰＣ１は上記以外にも、バッテリ、ＨＤＤ（Hard Disk Drive）、端子等のインターフェース等、コンピュータとして必要なデバイスを有する。
【００３２】
［２．トップケースの構造］
図５は、トップケース１００を上面側から示す斜視図である。図６は、トップケース１００を下面側から示す斜視図である。図７は、トップケース１００を示す６面図である。図７（ａ）は、トップケース１００の上面図である。図７（ｂ）は、トップケース１００の下面図である。図７（ｃ）は、トップケース１００の右側面図である。図７（ｄ）は、トップケース１００の左側面図である。図７（ｅ）は、トップケース１００の正面図である。図７（ｆ）は、トップケース１００の背面図である。
【００３３】
なお、トップケース１００の「上面」とは表示部３が本体部２に対して閉じたとき表示部３に対面する面をいうものとし、トップケース１００の「下面」とはボトムケース３１に対向する面をいうものとする。以下、他の部位についても同様の趣旨で「上面」及び「下面」を使用するものとする。トップケース１００の「正面」とは、ＰＣ１の使用時に利用者の手前側に位置するパームレスト部材２ｂが設置される側をいうものとする。
【００３４】
トップケース１００は矩形であり、例えばアルミニウム合金等の金属材料からなる。トップケース１００は、この順に互いに隣接して配置されるパームレスト設置部１０１と、キーボードカバー部１０２と、収容部１０３とを有する。
【００３５】
なお、以下の説明において、パームレスト設置部１０１、キーボードカバー部１０２及び収容部１０３が互いに隣接する方向を「Ｙ軸方向」と記述し、これら各部位の長手方向を「Ｘ軸方向」と記述し、これら２軸に直交する方向を「Ｚ軸方向」と記述する。
【００３６】
トップケース１００は、キーボードカバー部１０２の下面１１０及びパームレスト設置部１０３の下面１２８に対して立ち上げて設けられ、Ｘ軸方向にて対向する一対の側壁部１０５、１０５を有する。一対の側壁部１０５、１０５は、トップケース１００の前面側の角部１２５、１２５において互いに接近する方向にそれぞれ湾曲する。一対の側壁部１０５、１０５は、キーボードカバー部１０２及びパームレスト設置部１０１より厚みが大きい。本実施形態においては、例えば、キーボードカバー部１０２及びパームレスト設置部１０１の厚みはおよそ０．８ｍｍであり、側壁部１０５、１０５の厚みはおよそ１．２ｍｍである。
【００３７】
キーボードカバー部１０２及びパームレスト設置部１０３に対して立ち上げて設けられた一対の側壁部１０５、１０５によりトップケース１００の堅牢性を向上させることができる。また、一対の側壁部１０５、１０５の厚みを大きくすることによる一対の側壁部１０５、１０５の強度向上により、トップケース１００の堅牢性をさらに向上させることができる。
【００３８】
また、一対の側壁部１０５、１０５はトップケース１００の前面側の角部１２５、１２５において互いに接近する方向にそれぞれ湾曲するので、ＰＣ１がトップケース１００の前面側の角部１２５から落下したときに落下時に荷重を面で受けることができる。これにより、荷重がトップケース１００の前面側の角部１２５、１２５に集中するのを緩和し、トップケース１００の前面側の角部１２５、１２５の変形や破損等を防止することができる。
【００３９】
［２−１．キーボードカバー部の構造］
キーボードカバー部１０２の構造について説明する。
キーボードカバー部１０２には、上面１０９側と下面１１０側との間を貫通する複数のキートップ開口１０４が設けられる。複数のキートップ開口１０４は、キーボード部３２の複数のキートップ３３（図２参照）を個々に露出可能な位置及び形状に設計される。
【００４０】
キーボードカバー部１０２の下面１１０には、キーボード部３２をキーボードカバー部１０２に対して螺子止めするための複数のスタッド１０８が溶接される。スタッド１０８にキーボード部３２が螺子止めされることで、キーボード部３２がキーボードカバー部１０２の下面１１０に固定される。キーボードカバー部１０２は、キートップ３３を除いてキーボード部３２を覆い、複数のキートップ３３はキートップ開口１０４から個々に露出する（図２参照）。
【００４１】
本実施形態ではキーボードカバー部１０２の厚みをおよそ０．８ｍｍとした。キーボードカバー部１０２におよそ０．８ｍｍの厚みがあれば、スタッド１０８をキーボードカバー部１０２に溶接することができる。これに対して、キーボードカバー部の厚みがおよそ０．６ｍｍ程度であれば、スタッドをキーボードカバー部に溶接することは困難である。厚みがおよそ０．６ｍｍ程度のキーボードカバー部にスタッドを設けるには、例えば樹脂等の基材にスタッドを溶着し、スタッドが溶着された基材をキーボードカバー部に両面テープ等で接着する方法が考えられる。この方法では、例えば両面テープ等が剥離してキーボード部がキーボードカバー部から離脱するおそれがある。しかしながら、本実施形態ではスタッド１０８をキーボードカバー部１０２に直接溶接するので、キーボード部３２がキーボードカバー部１０２から離脱するのを防止できる。さらに、スタッド１０８の設置に基材を用いないため、軽量化、部品点数の削減、コスト削減及び作業工程削減を実現可能である。
【００４２】
［２−２．パームレスト設置部の構造］
次に、パームレスト設置部１０１の構造について説明する。
パームレスト設置部１０１は、例えば樹脂製のパームレスト部材２ｂ及びタッチパッド部２ｊ（図２参照）を設置するための部位である。パームレスト設置部１０１と、これに隣接するキーボードカバー部１０２とは、折曲構造部１１２により連結される。具体的には、折曲構造部１１２は、パームレスト設置部１０１がＺ軸方向においてキーボードカバー部１０２より低く位置するような段差状の位置関係となるように、パームレスト設置部１０１とキーボードカバー部１０２とを連結する。
【００４３】
パームレスト設置部１０１の外縁部にはキーボードカバー部１０２の上面１０９と同一面上に位置する上面をもつ枠状部１２３が設けられる。これにより、パームレスト設置部１０１の上面１２７がＺ軸方向において枠状部１２３の上面より低く位置するような段差状の位置関係となる。
【００４４】
パームレスト設置部１０１には、主に軽量化を目的として例えばプレス加工により複数の開口部１３０が設けられる。隣り合う開口部１３０の間の部位は、複数の開口部１３０の形成による強度上の不利益を低減するための補強部１２６を構成する。補強部１２６は、複数の開口部１３０を少なくともＸ軸方向に区分するように設けられる。より具体的には、補強部１２６は、トップケース１００の前面側の端部１２４と、キーボードカバー部１０２とパームレスト設置部１０１との間の折曲構造部１１２とを少なくともＹ軸方向にて橋渡しするように設けられる。複数の補強部１２６において、Ｘ軸方向での両端の２つの補強部１２６ａ、１２６ａは、それぞれトップケース１００の前面側の一対の角部１２５、１２５に支持される。この２つの補強部１２６ａ、１２６ａは、それぞれＸ軸方向に傾斜して設けられる。
【００４５】
複数の補強部１２６には、上面側と下面側との間を貫通して、ＰＣ１の種々の部材の位置決めや螺子止めをするための複数の孔１２９が設けられる。この複数の孔１２９のうち所定の孔を用いて、例えば樹脂製のパームレスト部材２ｂ及びタッチパッド部２ｊ（図２参照）が枠状部１２３内に収容されるようにしてパームレスト設置部１０１に固定される。
【００４６】
パームレスト設置部１０１において、パームレスト部材２ｂが設置される何れかの開口部１３０に対応して、非接触型ＩＣカード用アンテナ２ｃ（図２参照）が設けられる。アンテナ２ｃはＩＣカード（図示せず）に内蔵されたアンテナに対して情報を送受信するために電波を発生させる。そのため、アンテナ２ｃの近傍にアルミニウム合金等の金属がある場合、アンテナ２ｃの感度が低下するおそれがある。本実施形態では、何れかの開口部１３０に対応してアンテナ２ｃを設けているので、補強部１２６等からの干渉を抑制し、アンテナ２ｃの感度が低下するのを防止することができる。また、パームレスト部材２ｂは例えば樹脂製であるため、アンテナ２ｃに干渉することがなく、アンテナ２ｃの感度が低下するのを防止することができる。
【００４７】
本実施形態のパームレスト設置部１０１によれば、パームレスト設置部１０１に複数の開口部１３０を設けることで、トップケース１００を軽量化することができる。この複数の開口部１３０を少なくともＸ軸方向にそれぞれ区分するように複数の補強部１２６を設けることで、開口部１３０を有するパームレスト設置部１０１の強度を高め、トップケース１００の堅牢性を向上させることができる。
【００４８】
また、一端がトップケース１００の前面側の角部１２５にて支持され、Ｙ軸方向に対して傾斜して設けられた補強部１２６ａにより、ＰＣ１がトップケース１００の前面側の角部１２５から落下した場合など、トップケース１００の前面側の角部１２５への衝撃に対するトップケース１００の堅牢性を向上させることができる。
【００４９】
また、パームレスト設置部１０１とキーボードカバー部１０２との間の折曲構造部１１２により、トップケース１００の全体的な強度をさらに向上させることができる。
【００５０】
また、パームレスト設置部１０１の外縁部に枠状部１２３を段差状に設けたことによっても、トップケース１００の堅牢性の向上を図れる。また、例えば樹脂製のパームレスト部材２ｂが枠状部１２３内に収容され固定されるので、このパームレスト部材２ｂでの応力の吸収により、パームレスト設置部１０１の堅牢性のさらなる向上が期待できる。
【００５１】
［２−３．収容部の構造］
まず一対のヒンジ部４、４の構造について説明し、次に収容部１０３の構造について説明する。
一対のヒンジ部４、４は、一対の第１のヒンジ機構部と一対の第２のヒンジ機構部とが連結されてなる。一対の第１のヒンジ機構部は、筐体３０のボトムケース３１の収容部１０３に対応する端部にＸ軸方向にて互いに離間して設けられる。一対の第２のヒンジ機構部は、表示部３に設けられ、一対の第１のヒンジ機構部と連結される。
【００５２】
収容部１０３は、トップケース１００におけるＹ軸方向の端部に設けられ、ヒンジ部４、４の外周面に沿った曲率的な断面形状を有する。収容部１０３を曲率的な断面形状とすることで収容部１０３の強度が得られる。収容部１０３には、一対の第１のヒンジ機構部及び第２のヒンジ機構部それぞれに対応して互いに離間して設けられた一対のヒンジ開口部１４２、１４２が設けられる。一対の第１のヒンジ機構部と一対の第２のヒンジ機構部とは、それぞれ一対のヒンジ開口部１４２、１４２を介して回動可能に連結される。以下の説明において、収容部１０３における一対のヒンジ開口部１４２、１４２の間の部位を中央部１４６を呼ぶこととする。
【００５３】
図８は、図６のＡ領域を示す部分拡大図である。
中央部１４６は、一対のヒンジ開口部１４２、１４２の間にあるため、トップケース１００の側壁部１０５、１０５によっては支持されず、キーボードカバー部１０２に対して片持ち状に支持される。中央部１４６は、キーボードカバー部１０２に対して片持ち状に支持されるため軽量に設計される。本実施形態では、中央部１４６は、例えばキーボードカバー部１０２及びパームレスト設置部１０１に比べて厚みが小さい。
【００５４】
支持部１４１は、キーボードカバー部１０２からＹ軸方向に連続して設けられる。中央部１４６は、この支持部１４１から連続して設けられる。支持部１４１は、中央部１４６を片持ち状に支持可能に設計される。すなわち、支持部１４１は、中央部１４６からの負荷が集中する箇所であるため、高い強度をもつように設計される。本実施形態では、支持部１４１の上面１４３が収容部１０３の曲率的な面に滑らかにつながるように設計され、下面１４４がキーボードカバー部１０２の下面１１０から連続する平面に形成される。これにより支持部１４１は、キーボードカバー部１０２側から徐々に厚みを増し、所定位置から収容部１０３にかけて徐々に厚みを減ずるような形状をもつ。支持部１４１の最も厚みが大きい部位１４５の厚みは、例えばおよそ１．６ｍｍである。
【００５５】
本実施形態によれば、曲率的な断面形状により強度が得られる収容部１０３の厚みを小さくすることによるトップケース１００の軽量化を図れるとともに、支持部１４１の強度向上によってキーボードカバー部１０２において片持ち状に支持された中央部１４６の強度の向上を図れる。
【００５６】
なお、本実施形態では切削又はプレス加工によりヒンジ開口部１４２を形成している。このため、中央部１４６だけでなく、トップケース１００の一方の側壁部１０５により支持される隣り合う収容部１０３の部位も、中央部１４６と同様の形状を有し、支持部１４１により同様に支持される。また、スイッチ部７及び電源スイッチ２ｄが設けられる部位１４７は、それぞれのスイッチモジュールを設置可能に設計される。
【００５７】
本実施形態のトップケース１００は、アルミニウム合金等の金属材料の押し出し材を切削加工して開口のないトップケースを作製し、これにプレス加工によりキートップ開口１０４、開口部１３０及びヒンジ開口部１４２を形成することで作製される。
【００５８】
押し出し材を使用することで、トップケース１００の角部等の任意の形状を容易に得られる。本実施形態では、トップケース１００の角部１２５、１２５の形状として、落下衝撃時に角部が受ける力の分散化のため湾曲形状を採用した。また、トップケース１００を切削加工で作製することで、各部位の厚みを高い自由度で選定できる等、堅牢性およびデザイン性の観点から、良好なトップケース１００を作製することができる。
【００５９】
また、トップケース１００を押し出し材からの切削加工で作製することで、トップケース１００を継ぎ目や組み合わせのない一体の部品とすることができる。これにより、トップケース１００の美感性と堅牢性の向上を同時に図ることができる。また、追加の部品を用いないため、重量の増加及びコストの増加を抑えることができる。
【００６０】
本発明に係る実施形態は、以上説明した実施形態に限定されず、他の種々の実施形態が考えられる。
【００６１】
例えば、トップケース１００は、例えばアルミニウム合金等の金属材料からなるものとしたが、これに限定されない。トップケース１００を他の金属や樹脂等で作製してもよい。
【符号の説明】
【００６２】
１…ＰＣ
２ｂ…パームレスト部材
３１…ボトムケース
３２…キーボード部
３３…キートップ
１００…トップケース
１０１…パームレスト設置部
１０２…キーボードカバー部
１０４…開口
１２６、１２６ａ…補強部
１３０…開口部
【図１】
2011141591.tif 000003
【図２】
2011141591.tif 000004
【図３】
2011141591.tif 000005
【図４】
2011141591.tif 000006
【図５】
2011141591.tif 000007
【図６】
2011141591.tif 000008
【図７】
2011141591.tif 000009
【図８】
2011141591.tif 000010